(57)【要約】      （修正有）【課題】購入者が電源ユニットを容易に交換できるＬＥＤランプを提供する。【解決手段】複数のＬＥＤ素子１２２と複数のＬＥＤ素子が配置されるＬＥＤ基板１２１とを備えてなるＬＥＤユニット１２と、商用電源からの交流電流を直流電流に変換して出力する変換部と変換部から出力された直流電流を制御して複数のＬＥＤ素子を駆動する駆動部とを備えてなる電源ユニット１３とを備えてなるＬＥＤランプにおいて、電源ユニットを着脱可能にＬＥＤ基板に近接保持する装着部１８を設ける。【選択図】図４
0003186125.tif 000002
【実用新案登録請求の範囲】
【請求項１】
複数のＬＥＤ素子と、該複数のＬＥＤ素子が配置されるＬＥＤ基板とを備えてなるＬＥ
Ｄユニットと、
商用電源からの交流電流を直流電流に変換して出力する変換部と、該変換部から出力さ
れた前記直流電流を制御して前記複数のＬＥＤ素子を駆動する駆動部とを備えてなる電源
ユニットとを備えてなるＬＥＤランプにおいて、
前記電源ユニットを着脱可能に前記ＬＥＤ基板に近接保持する装着部が設けられている
ことを特徴とするＬＥＤランプ。
【請求項２】
前記電源ユニット及び前記ＬＥＤユニットが、透光部を有するケーシング内部に配設さ
れていることを特徴とする請求項１記載のＬＥＤランプ。
【請求項３】
前記ケーシングが、前記装着部を臨む開口を有するものであることを特徴とする請求項
２記載のＬＥＤランプ。
【請求項４】
前記開口を覆う電源ユニットカバーをさらに備えていることを特徴とする請求項３記載
のＬＥＤランプ。
【請求項５】
前記ケーシングの外表面と前記電源ユニットカバーの外表面とが同一面上にあることを
特徴とする請求項４記載のＬＥＤランプ。
【請求項６】
商用電源からの交流電流を入力する交流電流入力端子と、
該交流電流入力端子から入力された交流電流を出力する交流電流出力端子と、
前記変換部から出力された直流電流を入力する直流電流入力端子と、
該直流電流入力端子から入力された直流電流を出力する直流電流出力端子と備え、
前記電源ユニットが前記交流電流出力端子及び前記直流電流入力端子に接続され、かつ
、前記ＬＥＤユニットが前記直流電流出力端子に接続されることを特徴とする請求項１〜
５記載のＬＥＤランプ。
【請求項７】
前記装着部が、前記交流電流出力端子及び前記直流電流入力端子を備えており、前記電
源ユニットを前記装着部に装着すると、前記電源ユニットの交流電流入力端子が前記交流
電流出力端子に、前記電源ユニットの直流電流出力端子が前記直流電流入力端子にそれぞ
れ電気的に接続するものであることを特徴とする請求項６記載のＬＥＤランプ。
【考案の詳細な説明】
【技術分野】
【０００１】
本考案は、照明器具に取り付けられるＬＥＤランプに関するものである。
【背景技術】
【０００２】
近年、低消費電力かつ長寿命の照明装置として、ＬＥＤ（発光ダイオード）を用いたＬ
ＥＤ照明装置が普及しつつある。ＬＥＤの寿命は４００００〜５００００時間と言われて
おり、蛍光灯と比較して寿命が長い。ＬＥＤを利用した照明に関して、例えば特許文献１
には、通常の蛍光灯と同じ外形を有する蛍光灯型ＬＥＤランプ（ＬＥＤモジュール）が記
載されている。ユーザーは、例えば既存の照明器具から蛍光灯を取り外し、これを蛍光灯
型ＬＥＤランプと交換する。蛍光灯型ＬＥＤランプは、ＬＥＤを点灯させるための回路を
含んでおり、既設の設備をそのまま用いつつ、光源をＬＥＤに変えることができる。
【先行技術文献】
【特許文献】
【０００３】
【特許文献１】実開平６−５４１０３号公報
【考案の概要】
【考案が解決しようとする課題】
【０００４】
通常、ＬＥＤランプは、既存の照明器具に容易に取り外しできるように、透光部を有す
るケーシング内部に、複数のＬＥＤ素子がＬＥＤ基板に配置されたＬＥＤユニットと、商
用電源からの交流電流を直流電流に変換して出力する変換部や変換部から出力された前記
直流電流を制御して複数のＬＥＤ素子を駆動する駆動部を備えた電源ユニットとを配設し
て、ＬＥＤランプをコンパクトに構成している。しかしながら、ＬＥＤランプをコンパク
トにすると、電源ユニットがＬＥＤ基板に近接配置されることになり、ＬＥＤ素子は点灯
時に発熱するため、僅かではあるがケーシング内部の温度上昇によって電源ユニットの回
路に不具合が生じてしまう場合がある。
【０００５】
従来の電源ユニットは、一般的に、ＬＥＤ素子と共にＬＥＤ基板上に溶接等によって固
定されていることが多いので、電源ユニットに不具合が生じた場合には、有資格者による
専門工事が必要となる。また電源ユニットのみに不具合が生じていた場合であっても、メ
ーカーは新しいＬＥＤランプをユーザーに送って、不具合が生じたＬＥＤランプをユーザ
ーによって新しいＬＥＤランプに交換してもらうこともあり、ＬＥＤランプの修理や交換
には費用がかかってしまう。
【０００６】
本考案はかかる問題点に鑑みてなされたもので、ＬＥＤランプの購入者が電源ユニット
を容易に交換することができるＬＥＤランプを提供することにある。
【課題を解決するための手段】
【０００７】
本考案のＬＥＤランプは、複数のＬＥＤ素子と、複数のＬＥＤ素子が配置されるＬＥＤ
基板とを備えてなるＬＥＤユニットと、
商用電源からの交流電流を直流電流に変換して出力する変換部と、変換部から出力され
た直流電流を制御して複数のＬＥＤ素子を駆動する駆動部とを備えてなる電源ユニットと
を備えてなるＬＥＤランプにおいて、
電源ユニットを着脱可能にＬＥＤ基板に近接保持する装着部が設けられていることを特
徴とするものである。
【０００８】
なお、本考案において駆動部は、変換部から出力された直流電流を制御することにより
ＬＥＤ素子に安定した直流電流を流してＬＥＤ素子の点灯、非点灯、光出力等を制御する
。
【０００９】
また、本考案のＬＥＤランプは、電源ユニット及びＬＥＤユニットが、透光部を有する
ケーシング内部に配設されていても良い。
【００１０】
なお、本考案において、ケーシングは直管形状であっても、電球形状であってもよく、
特に形状は限定されない。
【００１１】
また、本考案のＬＥＤランプは、ケーシングが、装着部を臨む開口を有するものであっ
てもよい。この場合、開口を覆う電源ユニットカバーをさらに備えていることが好ましい
。
【００１２】
また、本考案のＬＥＤランプは、ケーシングの外表面と電源ユニットカバーの外表面と
が同一面上にあることが好ましい。
【００１３】
また、本考案のＬＥＤランプは、商用電源からの交流電流を入力する交流電流入力端子
と、
交流電流入力端子から入力された交流電流を出力する交流電流出力端子と、
変換部から出力された直流電流を入力する直流電流入力端子と、
直流電流入力端子から入力された直流電流を出力する直流電流出力端子と備え、
電源ユニットが交流電流出力端子及び直流電流入力端子に接続され、かつ、ＬＥＤユニ
ットが直流電流出力端子に接続されることが好ましい。
【００１４】
また、本考案のＬＥＤランプは、装着部が、交流電流出力端子及び直流電流入力端子を
備えており、電源ユニットを装着部に装着すると、電源ユニットの交流電流入力端子が前
記交流電流出力端子に、電源ユニットの直流電流出力端子が前記直流電流入力端子にそれ
ぞれ電気的に接続するものであることが好ましい。
【考案の効果】
【００１５】
本考案のＬＥＤランプによれば、複数のＬＥＤ素子と複数のＬＥＤ素子が配置されるＬ
ＥＤ基板とを備えてなるＬＥＤユニットと、商用電源からの交流電流を直流電流に変換し
て出力する変換部と変換部から出力された直流電流を制御して複数のＬＥＤ素子を駆動す
る駆動部とを備えてなる電源ユニットとを備えてなるＬＥＤランプにおいて、電源ユニッ
トを着脱可能にＬＥＤ基板に近接保持する装着部が設けられているので、電源ユニットの
不具合によってＬＥＤランプが故障してしまった場合に、ユーザーによって電源ユニット
のみを容易に交換することができる。これにより、ＬＥＤランプに不具合が生じてしまっ
た場合には、メーカーは新しい電源ユニットをユーザー宛に送るだけで、ユーザーによっ
て電源ユニットを新しい電源ユニットに交換してもらえばよいので、ＬＥＤランプ全体を
送って交換してもらうよりも部品代金や郵送代金等の費用を安くすることができる。
【図面の簡単な説明】
【００１６】
【図１】本考案の一実施の形態に係るＬＥＤランプ１の概略斜視図である。
【図２】図１のＬＥＤランプ１の正面図である。
【図３】図１のＬＥＤランプ１の上面図である。
【図４】図１のＬＥＤランプ１のIV-IVにおける概略断面図である。
【図５Ａ】図２のＬＥＤランプ１のＶＡ-ＶＡにおける断面図である。
【図５Ｂ】図２のＬＥＤランプ１のＶＢ-ＶＢにおける断面図である。
【図６】図１のＬＥＤランプ１の概略構成図である。
【図７】図１のＬＥＤランプ１の電源ユニット１３の上面図である。
【図８】図７の電源ユニット１３の右側面図である。
【図９】図７の電源ユニット１３のコネクタピン１３ａ２が装着されるコネクタ部１５の上面図である。
【図１０】図９のコネクタ部１５のＸ-Ｘにおける断面図である。
【図１１】図９のコネクタ部１５の右側面図である。
【図１２】図４の支持部１７の斜視図である。
【考案を実施するための形態】
【００１７】
以下、本考案の実施の形態について図面を参照して詳細に説明する。
【００１８】
図１は本考案の一実施の形態に係るＬＥＤランプの概略斜視図、図２〜図６はそれぞれ
図１のＬＥＤランプの正面図、上面図、IV-IVにおける概略断面図、ＶＡ-ＶＡにおける断
面図、ＶＢ-ＶＢにおける断面図、概略構成図である。
【００１９】
本実施形態のＬＥＤランプ１は、図１に示すように、直管形状の蛍光灯型のＬＥＤラン
プであり、図６に示すように、例えば天井３に取り付けられた照明器具２に装着されて使
用される。ＬＥＤランプ１は、透光部を有する細長い筒状のケーシング１０と、ケーシン
グ１０の両端外側に設けられた口金部１１とを備えている。口金部１１は、ケーシング１
０の両端に取り付けられる口金本体１１ａと、口金本体１１ａに固定される２本の電極ピ
ン１１ｂとを備え、電極ピン１１ｂは、照明器具２のソケット２ａに嵌合可能なものであ
り、図６に示すように、ソケット２ａを介して商用電源４から交流電流が入力される交流
電流入力端子として機能する。なお口金部１１は、ＬＥＤランプ１を照明器具２に装着し
たときに、後述するＬＥＤランプ１の下ケーシング１０ａが下（床側）に位置するように
、照明器具２のソケット２ａの配置に合わせて、電極ピン１１ｂの位置を決定してケーシ
ング１０に取り付けられる。
【００２０】
図４，図６に示すように、図中右側の２本の電極ピン１１ｂはそれぞれ口金本体１１ａ
の内部でケーブル１１ｃによって後述する支持部１７の中央接続部１７２ａに接続されて
いる。また図中左側の２本の電極ピン１１ｂはそれぞれ口金本体１１ａの内部でケーブル
１１ｃによって後述するコネクタケーブル１５ａに接続されている。
なお支持部１７については後で詳細に説明する。
【００２１】
ケーシング１０は、図２，図５Ａに示すように、後述するＬＥＤ素子が配設される側（
図２の下側）に位置し、透光性を有し、透明又は半透明のプラスチック製の半筒形状であ
る下ケーシング１０ａと、下ケーシング１０ａとで円筒形状となり、非透明のプラスチッ
ク製の半筒形状である上ケーシング１０ｂとを備えている。下ケーシング１０ａと上ケー
シング１０ｂとは、例えば接着剤等で接合される。なお、本実施形態では、上ケーシング
１０ｂは下ケーシング１０ａと同様にプラスチック製としたが、特に限定されるものでは
なく、下ケーシング１０ａとは異なる素材としてもよく、例えば金属製等であってもよい
。また、本実施形態では、上ケーシング１０ｂは非透明としたが、特に限定されるもので
はなく、透明であっても半透明であってもよい。また、本実施形態では、下ケーシング１
０ａと上ケーシング１０ｂとは、接着剤等で接合される構成としたが、特に限定されるも
のではなく、下ケーシング１０ａと上ケーシング１０ｂとが固定できればよく、例えば、
上ケーシング１０ａと下ケーシング１０ｂがそれぞれ長手方向に互いに係合する係合溝を
備えて、一方のケーシングに他方のケーシングを差し込む構造としてもよい。
【００２２】
上ケーシング１０ｂは、図４に示すように、上部に開口１０ｃを有し、その開口１０ｃ
には、図１〜図３及び図５Ｂに示すように、開口１０ｃを覆うカバー１４が取り付けられ
る。カバー１４は、上ケーシング１０ｂと同様の素材で形成され、上ケーシング１０ｂに
取り外し可能に係合されており、図１，図３，図５Ｂに示すように、例えばねじ孔１４ａ
を有し、ねじ止め等によって上ケーシング１０ｂに固定されている。上ケーシング１０ｂ
は、図４，図５Ｂに示すように、開口１０ｃに隣接する段部１０ｂ’を有しており、段部
１０ｂ’にはねじ孔が形成されていて、段部１０ｂ’の上面でカバー１４を支えると共に
上ケーシング１０ｂのねじ孔とカバー１４のねじ孔１４ａとにねじが螺合されることによ
って、カバー１４が上ケーシング１０ｂにしっかりと固定される。本実施形態において、
カバー１４は上ケーシング１０ｂから取り外せる構造としたが、上ケーシング１０ｂの開
口１０ｃを開閉可能な構造であれば、例えば一端のみを取り外し可能にし、他端をヒンジ
等によって上ケーシング１０ｂに固定する構造であってもよい。
【００２３】
ＬＥＤランプ１の内部には、図４，図６に示すように、ＬＥＤユニット１２と電源ユニ
ット１３とが配設されている。
【００２４】
ＬＥＤユニット１２は、ケーシング１０の長手方向に沿って延びる平板状の配線基板で
あるＬＥＤ基板１２１とＬＥＤ基板１２１上に実装された複数のＬＥＤ素子１２２とを備
えている。ＬＥＤ基板１２１は、図５Ａ，図５Ｂに示すように、上述した下ケーシング１
０ａと上ケーシング１０ｂとの間に配置され、下ケーシング１０ａに形成された段部に接
着剤等によって固定されることにより、下ケーシング１０ａ、上ケーシング１０ｂ及び２
つの口金本体１１ａによって構成されるＬＥＤランプ１内部に取り付けられている。なお
、本実施形態では、ＬＥＤ基板１２１は下ケーシング１０ａに形成された段部に接着剤等
によって固定される構成としたが、特に限定されるものではなく、例えば、ＬＥＤ基板１
２１を上ケーシング１０ｂに形成された段部に接着剤等によって固定してもよいし、上ケ
ーシング１０ｂの長手方向にＬＥＤ基板１２１が挿入可能な溝を設けて、この溝にＬＥＤ
基板１２１を差し込んで固定する構造としてもよい。
【００２５】
複数のＬＥＤ素子１２２は、各々チップ型発光ダイオードであり、後述する駆動部１３
２によって整流された直流電圧の印加をそれぞれプラス入力端子（図示せず）とマイナス
入力端子（図示せず）で受け、この印加された直流電圧によって駆動されて後述するケー
シング１０の下ケーシング１０ａを通して光を放射する。複数のＬＥＤ素子１２２は、Ｌ
ＥＤ基板１２１の長手方向に沿って２列並べられている。なお本実施形態において、複数
のＬＥＤ素子１２２は、ＬＥＤ基板１２１の長手方向に沿って２列配列されているものと
するが、本考案は特に限定されるものではなく、１列であっても、３列であってもよいし
、ケーシング１０やＬＥＤ基板１２１のサイズや形状に合わせて配列することができ、従
来のＬＥＤランプのＬＥＤ素子と同様の並べ方で配列することができる。また、本実施形
態ではチップ型発光ダイオードを用いたが、砲弾型発光ダイオードを用いても良い。
【００２６】
ＬＥＤユニット１２は、図４に示すように、ケーブル１２３及び支持部１７を介して後
述する電源ユニット１３の直流電流出力端子であるピン１３ｂ１，１３ｂ２と接続されて
おり、電源ユニット１３と電気的に接続されている。
【００２７】
電源ユニット１３は、図６に示すように、電極ピン１１ｂから入力した交流電流を直流
電流に変換して出力する変換部１３１と、変換部１３１から出力された直流電流を制御し
て複数のＬＥＤ素子１２２を駆動する駆動部１３２とを備えている。なお、変換部１３１
と駆動部１３２は、基板上に搭載された各種回路で構成されている。
【００２８】
変換部１３１は、図６に示すように、電極ピン１１ｂと電気的に接続され、電極ピン１
１ｂから出力された交流電流が、後述する中央ピン１３ａ１及びコネクタピン１３ａ２を
介して入力され、入力された交流電流を直流電流に変換して出力するＡＣ／ＤＣコンバー
ターとして機能する。
【００２９】
駆動部１３２は、変換部１３１から出力された直流電流を制御することによりＬＥＤ素
子に安定した直流電流を流してＬＥＤ素子１２２の点灯、非点灯、光出力等を制御する。
本実施形態において駆動部１３２は、複数のダイオードにより構成されており、後述する
中央ピン１３ａ１から入力され変換部１３１によって変換された直流電流をカソード側成
分としてＬＥＤユニット１２のプラス入力端子に入力すると共に、後述するコネクタピン
１３ａ２から入力され変換部１３１によって変換された直流電流をアノード側成分として
ＬＥＤユニット１２のマイナス入力端子に入力する。
【００３０】
ここで本考案において特徴的なのは、この電源ユニット１３が着脱可能なものであり、
ＬＥＤランプ１に電源ユニット１３を着脱可能にＬＥＤ基板１２１に近接保持する装着部
１８が設けられていることである。
【００３１】
図７に本考案の一実施の形態に係る電源ユニット１３の上面図、図８に図７の電源ユニ
ット１３の右側面図、図９に図７の電源ユニット１３のコネクタピン１３ａ２が装着され
るコネクタ部１５の上面図、図１０に図７のコネクタ部１５のＸ-Ｘにおける断面図、図
１１に図９のコネクタ部１５の右側面図、図１２に支持部１７の斜視図を示して、以下詳
細に説明する。
【００３２】
電源ユニット１３は、図６，図７に示すように、角筒状の電源ケース１３０内部に変換
部１３１と、駆動部１３２とが配置されて構成されている。電源ケース１３０は、図８に
示すように、長方形の上端２角を面取りした断面形状を有しており、電源ケース１３０の
両端には、それぞれキャップ１３０ａが取り付けられている。図７において右側のキャッ
プ１３０ａからは先端が丸みを有して形成された３本のピンが突出しており、中央のピン
（以下、中央ピンという）１３ａ１は、図４に示すように、後述する支持部１７を介して
、電極ピン１１ｂと電気的に接続される。中央ピン１３ａ１の両端のピン１３ｂ１，１３
ｂ２は、ＬＥＤユニット１３へ直流電流を出力する直流電流出力端子として機能するもの
であり、両端のピン１３ｂ１，１３ｂ２のうち、ピン１３ｂ１はプラス端子であり、中央
ピン１３ａ１から入力され変換部１３１によって変換された直流電流をカソード側成分と
してケーブル１２３及び駆動部１３２を介してＬＥＤユニット１２のプラス入力端子へ出
力する。またもう一方のピン１３ｂ２はマイナス端子であり、コネクタピン１３ａ２から
入力され変換部１３１によって変換された直流電流をアノード側成分としてケーブル１２
３及び駆動部１３２を介してＬＥＤユニット１２のマイナス入力端子へ出力する。
【００３３】
また、図７において左側のキャップ１３０ａからは上記３本のピン１３ａ１，１３ｂ１
，１３ｂ２よりも直径の大きいコネクタピン１３ａ２が突出しており、コネクタピン１３
ａ２は、図４に示すように後述するコネクタ部１５に着脱可能に装着される。
【００３４】
コネクタ部１５は、図４に示すように、ケーブル１１ｃを介して電極ピン１１ｂと電気
的に接続されるコネクタケーブル１５ａと、コネクタケーブル１５ａが挿入されるコネク
タ本体１５ｂと、コネクタ本体１５ｂに固定された保持部１６とを備えている。コネクタ
本体１５ｂは、図４に示すように、ＬＥＤ基板１２１上面に固定される。また、コネクタ
本体１５ｂは、図９〜図１１に示すように、上面に開口部１５ｃが設けられていて、この
開口部１５ｃはコネクタケーブル１５ａが位置する側とは反対側の端（以下、右端という
）が開放されている。開口部１５ｃには保持部１６が配設されている。
【００３５】
保持部１６は、電極ピン１１ｂから入力された交流電流を電源ユニット１３へ出力する
交流電流出力端子として機能するものであり、導電性を有する材質、例えば金属で形成さ
れている。保持部１６は、略長方形で薄平板状の板部１６ａと、板部１６ａの右側上面か
ら上方に向かって立設されて外側に湾曲した対向する一対の円弧部１６ｂと、板部１６ａ
の左端から立設し、コネクタケーブル１５ａと電気的に接続する接続板１６ｃとで構成さ
れている。コネクタケーブル１５ａは接続板１６ｃに半田付け等によって固定される。円
弧部１６ｂは、金属板で構成されて弾性を有しており、コネクタピン１３ａ２が、図１１
の矢印Ｙ方向から挿入されると、対向する一対の円弧部１６ｂによってコネクタピン１３
ａ２を両側からしっかりと保持することができる。なお円弧部１６ｂは弾力性を有する部
材であれば、板状ではないワイヤー等の部材を使用することもできる。
【００３６】
支持部１７は、図１２に示すように、絶縁体で形成された支持部本体１７１と、支持部
本体１７１の上面に固定されて、それぞれケーブル１１ｃと接続する中央接続部１７２ａ
及びケーブル１２３と接続する両端の接続部１７２ｂ１，１７２ｂ２と、各接続部１７２
ａ、１７２ｂ１，１７２ｂ２から上方に向けて延び、弾性を有する中央支持板１７３ａ，
両端の支持板１７３ｂ１，１７３ｂ２とを備えている。中央支持板１７３ａと両端の支持
板１７３ｂ１，１７３ｂ２とは、各々図１２の紙面奥側の面、すなわち電源ユニット１３
の３本のピン３ａ１，１３ｂ１，１３ｂ２に対向する側の面の略中央に、電源ユニット１
３の３本のピン３ａ１，１３ｂ１，１３ｂ２の先端が係合する凹部１７３ａ’，１７３ｂ
１’，１７３ｂ２’を備えている。なお中央支持板１７３ａは、電極ピン１１ｂから入力
された交流電流を電源ユニット１３へ出力する交流電流出力端子として、両端の支持板１
７３ｂ１，１７３ｂ２は、電源ユニット１３から出力された直流電流を入力する直流電流
入力端子としてそれぞれ機能する。
【００３７】
各接続部１７２ａ、１７２ｂ１，１７２ｂ２及び各支持板１７３ａ，１７３ｂ１，１７
３ｂ２は、例えば銅合金やステンレス等の導電性を有する板金を加工して成り、各接続部
１７２ａ、１７２ｂ１，１７２ｂ２とケーブル１１ｃ，１２３とは、半田付け等によって
電気的に接続される。
【００３８】
本実施形態においては、コネクタ部１５と支持部１７とが、電源ユニット１３を着脱可
能にＬＥＤ基板１２１に近接保持する装着部１８を構成している。ここで電源ユニット１
３の着脱方法について説明する。
【００３９】
本実施形態においては、ケーシング１０のカバー１４を上ケーシング１０ｂから取外し
た状態で、図４に示すように、電源ユニット１３を図中の矢印Ｘ方向に、３本のピン１３
ａ１，１３ｂ１，１３ｂ２が突出した側すなわち図４の右端側から挿入する。電源ユニッ
ト１３の３本のピン１３ａ１，１３ｂ１，１３ｂ２を、それぞれ図１２に示す支持部１７
の支持板１７３ａ，１７３ｂ１，１７３ｂ２の凹部１７３ａ’，１７３ｂ１’，１７３ｂ
２’に当接させた状態で右方向に向かって押し込む。３本のピン１３ａ１，１３ｂ１，１
３ｂ２は、ピン１３ａ１，１３ｂ１，１３ｂ２により押し込まれた支持板１７３ａ，１７
３ｂ１，１７３ｂ２によって弾性的に付勢された状態で各支持板１７３ａ，１７３ｂ１，
１７３ｂ２にそれぞれ電気的に接続される。
【００４０】
次に、電源ユニット１３の３本のピン１３ａ１，１３ｂ１，１３ｂ２を支持板１７３ａ
，１７３ｂ１，１７３ｂ２の凹部１７３ａ’，１７３ｂ１’，１７３ｂ２’に押し込んだ
状態で、１本のコネクタピン１３ａ２が突出した側すなわち図４の左端側を、コネクタ部
１５へ挿入する。コネクタ部１５は、図１１に示すように、上方に開口部１５ｃを有して
いるので、図１１の矢印Ｙ方向にコネクタピン１３ａ２を押し込むと、保持部１６の対向
する一対の円弧部１６ｂによってコネクタピン１３ａ２は両側からしっかりと保持される
。以上のようにして電源ユニット１３を装着部１８に装着する。
【００４１】
電源ユニット１３が装着部１８に装着されると、電源ユニット１３の交流電流入力端子
である中央ピン１３ａ１とコネクタピン１３ａ２とがそれぞれ交流電流出力端子である中
央支持板１７３ａと保持部１６に電気的に接続するとともに、電源ユニット１３の直流電
流出力端子であるピン１３ｂ１，１３ｂ２がそれぞれ直流電流入力端子である支持板１７
３ｂ１，１７３ｂ２に電気的に接続する。
【００４２】
一方、電源ユニット１３を装着部１８から取り外すときには、先にコネクタピン１３ａ
２を円弧部１６ｂから外す。すると、３本のピン１３ａ１，１３ｂ１，１３ｂ２をそれぞ
れ付勢していた支持板１７３ａ，１７３ｂ１，１７３ｂ２によって図４の左方向に押し戻
され、電源ユニット１３を装着部１８から容易に取り外すことができる。
【００４３】
本実施形態のＬＥＤランプ１においては、上述したように電源ユニット１３を着脱可能
にＬＥＤ基板１２１に近接保持する装着部が設けられているので、電源ユニット１３の不
具合によってＬＥＤランプ１が故障してしまった場合に、ユーザーによって電源ユニット
１３のみを容易に交換することができる。これにより、ＬＥＤランプ１に不具合が生じて
しまった場合には、メーカーは新しい電源ユニット１３をユーザー宛に送るだけで、ユー
ザーによって電源ユニット１３を新しい電源ユニット１３に交換してもらえばよいので、
ＬＥＤランプ１全体を送って交換してもらうよりも部品代金や郵送代金等の費用を安くす
ることができる。
【００４４】
また、本実施形態のＬＥＤランプ１は、図６に示すように、照明器具２に装着するとき
に、電源ユニット１３が位置する側（図４中右側）と電源ユニット１３が位置しない側（
図４中左側）のどちら側を右側にしても良いので、ＬＥＤランプ１の向きを気にすること
なく簡単に装着することができる。
【００４５】
なお、本実施形態のＬＥＤランプ１は直管形状の蛍光灯型としたが、本考案はこれに限
定されるものではなく、ＬＥＤ素子１２２の配列やケーシング１０の形状等を変更するこ
とによって適宜変更することができる。
【００４６】
また、本実施形態のＬＥＤランプ１の装着部１８は、上述したようにコネクタ部１５と
支持部１７とを備える構成としたが、本考案は上記構成に限られるものではない。例えば
、左右に交流電流出力端子を有するコネクタ部１５を備え、電源ユニット１３本体下側に
ＬＥＤユニット１２のＬＥＤ基板１２１のプラス入力端子とマイナス入力端子にそれぞれ
接続可能な凸側の直流電流入力端子を２つ備えるような構成にしてもよいし、適宜変更す
ることができる。
【符号の説明】
【００４７】
１      ＬＥＤランプ
１０      ケーシング
１０ｃ      開口
１１      口金
１１ａ      口金本体
１１ｂ      電極ピン（交流電流入力端子）
１２      ＬＥＤユニット
１２２      ＬＥＤ素子
１２１      ＬＥＤ基板
１３      電源ユニット
１３１      変換部
１３２      駆動部
１３ａ１      中央ピン
１３ａ２      コネクタピン
１３ｂ１，１３ｂ２      ピン（直流電流出力端子）
１４      カバー（電源ユニットカバー）
１５      コネクタ部
１６      保持部（交流電流出力端子）
１７      支持部
１７３ａ      支持板（交流電流出力端子）
１７３ｂ１      支持板（直流電流入力端子）
１７３ｂ２      支持板（直流電流入力端子）
１８      装着部
４      商用電源
【図１】
0003186125.tif 000003
【図２】
0003186125.tif 000004
【図３】
0003186125.tif 000005
【図４】
0003186125.tif 000006
【図５Ａ】
0003186125.tif 000007
【図５Ｂ】
0003186125.tif 000008
【図６】
0003186125.tif 000009
【図７】
0003186125.tif 000010
【図８】
0003186125.tif 000011
【図９】
0003186125.tif 000012
【図１０】
0003186125.tif 000013
【図１１】
0003186125.tif 000014
【図１２】
0003186125.tif 000015